(57)【要約】【課題】  ユーザの意志に反して通信料金が高額になってしまうのを防止可能なネットワークファクシミリ装置を提供する。【解決手段】  指定された宛先にファクシミリデータを複数の経路で送信可能なインターネットファクシミリ装置２００であって、ファクシミリデータを複数の経路の中から指定されたネットワーク１経由で宛先に送信するＳＭＴＰ送信部１０２およびＩＰ−ＦＡＸ送信部１０４と、ＳＭＴＰ送信部１０２およびＩＰ−ＦＡＸ送信部１０４において、送信に失敗した場合、所定の問い合わせ条件に従って、ネットワーク１経由より通信料金単価が高いＰＳＴＮ３経由で送信を行うか否かを判断して、ユーザに問い合わせる問合せ部２０６と、ユーザからのＰＳＴＮ３経由での送信指示を受け付けたとき、ファクシミリデータをＰＳＴＮ３経由で送信するＧ３ＦＡＸ送信部１０６と、を備える。【選択図】      図８
2007060034.tif 000002
【特許請求の範囲】
【請求項１】
指定された宛先にファクシミリデータを複数の経路で送信可能なネットワークファクシミリ装置であって、
前記ファクシミリデータを前記複数の経路の中から指定された第１経路で前記宛先に送信する第１送信部と、
前記第１送信部において、送信に失敗した場合、所定の問い合わせ条件に従って、前記第１経路より通信料金単価が高い第２経路で送信を行うか否かを判断して、ユーザに問い合わせる問合せ部と、
前記ユーザからの前記第２経路での送信指示を受け付けたとき、前記ファクシミリデータを前記第２経路で送信する第２送信部と、
を備えたことを特徴とするネットワークファクシミリ装置。
【請求項２】
請求項１に記載のネットワークファクシミリ装置において、
前記複数の経路は、
前記指定された宛先のメールアドレスに対応するＩＰアドレスをＤＮＳにて取得し、ファクシミリデータをネットワーク経由でＳＭＴＰ送信する経路と、
前記指定された宛先のＩＰ電話番号宛に所定のプロトコルを使用してファクシミリデータをネットワーク経由で送信する経路と、
前記指定された宛先のファクシミリ番号宛にファクシミリデータを公衆回線網経由でＧ３ファクシミリ送信する経路と、を含むことを特徴とするネットワークファクシミリ装置。
【請求項３】
請求項１または２に記載のネットワークファクシミリ装置において、
前記宛先毎に前記問い合わせ条件を記憶する条件記憶部を含むことを特徴とするネットワークファクシミリ装置。
【請求項４】
請求項１乃至３いずれかに記載のネットワークファクシミリ装置において、
前記問い合わせ条件は、前記ファクシミリデータの通信料金に応じて設定されることを特徴とするネットワークファクシミリ装置。
【請求項５】
請求項１乃至４いずれかに記載のネットワークファクシミリ装置において、
前記第１経路がＩＰネットワークであり、
前記宛先のＩＰアドレスをＤＮＳサーバから取得する取得部を含み、
前記ＩＰアドレスが取得できなかったときに、前記第２経路での送信を行うか否かをユーザに問い合わせるか否かを前記問い合わせ条件に含むことを特徴とするネットワークファクシミリ装置。
【請求項６】
請求項５に記載のネットワークファクシミリ装置において、
前記ＩＰネットワークに接続できなかったときに、前記第２経路での送信を行うか否かをユーザに問い合わせるか否かを前記問い合わせ条件に含むことを特徴とするネットワークファクシミリ装置。
【請求項７】
請求項１乃至６いずれかに記載のネットワークファクシミリ装置において、
前記宛先毎に、前記複数の経路にそれぞれ対応した複数のアドレス情報を記憶するアドレス情報記憶部を含むことを特徴とするネットワークファクシミリ装置。
【請求項８】
指定された宛先にファクシミリデータを複数の経路で送信可能なネットワークファクシミリ装置であって、
前記ファクシミリデータを前記複数の経路の中から指定された第１経路で前記宛先に送信する第１送信部と、
前記第１送信部において、送信に失敗した場合、前記第１経路より通信料金が高い第２経路で送信を行うか否かをユーザに問い合わせる問合せ部と、
前記ユーザからの前記第２経路での送信指示を受け付けたとき、前記ファクシミリデータを前記第２経路で送信する第２送信部と、
を備えたことを特徴とするネットワークファクシミリ装置。
【請求項９】
請求項８に記載のネットワークファクシミリ装置において、
前記第２送信部による前記ファクシミリデータの送信時の通信料金を判定する判定部を含み、
前記問合せ部は、前記通信料金が所定値より高い場合に、送信の問い合わせを行い、
前記第２送信部は、前記通信料金が所定値より低い場合は、前記問合せを行わず、自動的に前記ファクシミリデータを前記第２経路経由で送信することを特徴とするネットワークファクシミリ装置。
【請求項１０】
請求項８または９に記載のネットワークファクシミリ装置において、
前記第２経路は、公衆回線網であり、前記第２送信部は、公衆回線網を介して前記ファクシミリデータをＧ３ファクシミリ通信にて送信し、
前記判定部は、前記宛先のファクシミリ番号または前記ファクシミリデータのデータ量に基づいて、前記通信料金を算出し、判定することを特徴とするネットワークファクシミリ装置。
【請求項１１】
請求項８乃至１０いずれかに記載のネットワークファクシミリ装置において、
前記宛先毎に、前記複数の経路にそれぞれ対応した複数のアドレス情報を記憶するアドレス情報記憶部を含むことを特徴とするネットワークファクシミリ装置。
【発明の詳細な説明】
【技術分野】
【０００１】
本発明は、ネットワークファクシミリ装置に関し、特に、指定された宛先に複数経路でファクシミリ送信可能なネットワークファクシミリ装置に関する。
【背景技術】
【０００２】
ネットワーク技術の普及にともない、たとえばファクシミリ装置やＭＦＰ（Multi Functional Peripheral）などの情報機器もネットワークに接続されるようになってきた。このようなファクシミリ装置は、一般的なＧ３方式等によるファクシミリ通信機能の他に、Ｅメール送受信機能、原稿の画像データ等をネットワークを介して送受信するインターネットファクシミリ通信機能、ネットワークを介したＩＰ電話によるＩＰファクシミリ通信機能等を備え、他のファクシミリ装置、コンピュータ、およびインターネットファクシミリ装置等と情報の送受信を行うことができる。
【０００３】
従来のインターネットファクシミリ装置としては、たとえば、特許文献１に記載されたものがある。同文献に記載されたインターネットファクシミリ装置は、インターネットを介した画像情報の送信失敗時に、Ｇ３ファクシミリ送信に自動的に切り換える構成を有している。
【特許文献１】特許第３０５５５２１号公報
【発明の開示】
【発明が解決しようとする課題】
【０００４】
しかしながら、上記文献記載の従来技術は、以下の点で改善の余地を有していた。すなわち、たとえば、インターネット経由で画像情報を送信する場合に比較して、公衆回線網を使用したＧ３ファクシミリ送信は、通信料金が格段に高くなる可能性があり、自動的にインターネットファクシミリ送信からＧ３ファクシミリ送信に切り替えをしてしまうと、ユーザの意志に反して、通信料金が高額になってしまう可能性がある。
【０００５】
本発明は上記事情に鑑みてなされたものであり、その目的とするところは、ユーザの意志に反して通信料金が高額になってしまうのを防止可能なネットワークファクシミリ装置を提供することにある。
【課題を解決するための手段】
【０００６】
本発明によれば、指定された宛先にファクシミリデータを複数の経路で送信可能なネットワークファクシミリ装置であって、
前記ファクシミリデータを前記複数の経路の中から指定された第１経路で前記宛先に送信する第１送信部と、
前記第１送信部において、送信に失敗した場合、所定の問い合わせ条件に従って、前記第１経路より通信料金単価が高い第２経路で送信を行うか否かを判断して、ユーザに問い合わせる問合せ部と、
前記ユーザからの前記第２経路での送信指示を受け付けたとき、前記ファクシミリデータを前記第２経路で送信する第２送信部と、
を備えたことを特徴とするネットワークファクシミリ装置が提供される。
【０００７】
ここで、ファクシミリデータとは、スキャナなどで読み取られ送信用の画像データに変換されたものや、記憶装置に記憶されている画像データであり、画像データは電子メールに添付されたり、符号化圧縮変換されたりした後、送信される。
【０００８】
また、複数の経路とは、たとえば、メールアドレス指定された宛先に対応するＩＰアドレスをＤＮＳ（Domain Name System）にて取得し、ファクシミリデータをインターネットなどのネットワーク経由でＳＭＴＰ送信する経路や、ＩＰ電話番号指定された宛先にＳＩＰ（Session Initiation Protocol）やＨ．３２３などの所定のプロトコルを使用してファクシミリデータをネットワーク経由で送信する経路や、Ｇ３ファクシミリ番号指定された宛先にファクシミリデータを公衆回線網経由でＧ３ファクシミリ送信する経路などが含まれる。
【０００９】
所定の条件とは、たとえば、通信料金が所定金額以上の場合に問い合わせを行い、所定金額未満の場合は問い合わせを行わないといった通信料金に応じた設定、あるいは、問い合わせは常に不要あるいは必要であるかなどの設定などを宛先毎に設定する。
【００１０】
この発明によれば、インターネットを含むネットワークなどの第１経路経由での通信に失敗した場合、通信料金単価が高い公衆回線網などの第２経路に自動的に切り換えずに、所定の条件に従って、問い合わせてから切り換えるので、通信料金などを加味したユーザの判断により切り換えを行うことができるので利便性がよい。また、条件によっては、問い合わせをせずに自動的に第２経路でファクシミリ送信を行うので、通信効率や操作性が向上する。
【００１１】
上記ネットワークファクシミリ装置において、前記複数の経路は、前記指定された宛先のメールアドレスに対応するＩＰアドレスをＤＮＳにて取得し、ファクシミリデータをネットワーク経由でＳＭＴＰ送信する経路と、前記指定された宛先のＩＰ電話番号宛に所定のプロトコルを使用してファクシミリデータをネットワーク経由で送信する経路と、前記指定された宛先のファクシミリ番号宛にファクシミリデータを公衆回線網経由でＧ３ファクシミリ送信する経路と、を含むことができる。
【００１２】
上記ネットワークファクシミリ装置において、前記宛先毎に前記問い合わせ条件を記憶する条件記憶部を含むことができる。また、上記ネットワークファクシミリ装置において、前記問い合わせ条件は、前記ファクシミリデータの通信料金に応じて設定されることができる。
【００１３】
この構成によれば、たとえば、通信料金が高い場合にのみ問い合わせを行い、通信料金が低い場合は自動的に公衆回線網などの第２経路でＧ３ファクシミリ送信を行うことなどができるので、いちいち問合せに答える必要がなくなるので、通信効率や操作性が向上する。
【００１４】
上記ネットワークファクシミリ装置において、前記第１経路がＩＰネットワークであり、前記宛先のＩＰアドレスをＤＮＳサーバから取得する取得部を含むことができ、前記ＩＰアドレスが取得できなかったときに、前記第２経路での送信を行うか否かをユーザに問い合わせるか否かを前記問い合わせ条件に含むことができる。
【００１５】
ここで、ＩＰ（Internet Protocol）ネットワークとは、インターネットやイントラネットなどのネットワークである。ＩＰネットワーク上に接続されたコンピュータは１台ずつにＩＰアドレスが割り当てられている。ＤＮＳは、コンピュータに付けられたドメイン名とＩＰアドレスを対応付けて管理するシステムである。
【００１６】
上記ネットワークファクシミリ装置において、前記ＩＰネットワークに接続できなかったときに、前記第２経路での送信を行うか否かをユーザに問い合わせるか否かを前記問い合わせ条件に含むことができる。
【００１７】
上記ネットワークファクシミリ装置において、前記宛先毎に、前記複数の経路にそれぞれ対応した複数のアドレス情報を記憶するアドレス情報記憶部を含むことができる。
【００１８】
ここで、複数のアドレス情報とは、たとえば、インターネットファクシミリ通信の場合のメールアドレス、ＳＩＰなどの所定のプロトコルを使用した通信の場合のＩＰ電話番号、Ｇ３ファクシミリ通信の場合のファクシミリ番号などである。
【００１９】
本発明によれば、指定された宛先にファクシミリデータを複数の経路で送信可能なネットワークファクシミリ装置であって、
前記ファクシミリデータを前記複数の経路の中から指定された第１経路で前記宛先に送信する第１送信部と、
前記第１送信部において、送信に失敗した場合、前記第１経路より通信料金が高い第２経路で送信を行うか否かをユーザに問い合わせる問合せ部と、
前記ユーザからの前記第２経路での送信指示を受け付けたとき、前記ファクシミリデータを前記第２経路で送信する第２送信部と、
を備えたことを特徴とするネットワークファクシミリ装置が提供される。
【００２０】
この発明によれば、インターネットを含むネットワークなどの第１経路経由での通信に失敗した場合、通信料金単価が高い第２経路に自動的に切り換えずに、問い合わせてから切り換えるので、通信料金などを加味したユーザの判断により切り換えを行うことができるので利便性がよい。
【００２１】
上記ネットワークファクシミリ装置において、前記第２送信部による前記ファクシミリデータの送信時の通信料金を判定する判定部を含むことができ、前記問合せ部は、前記通信料金が所定値より高い場合に、送信の問い合わせを行い、前記第２送信部は、前記通信料金が所定値より低い場合は、前記問合せを行わず、自動的に前記ファクシミリデータを前記第２経路経由で送信することができる。
【００２２】
この構成によれば、通信料金が高い場合にのみ問い合わせを行い、通信料金が低い場合は自動的に公衆回線網などの第２経路でＧ３ファクシミリ送信を行うことができるので、通信料金が低い場合は、いちいち問合せに答える必要がなくなるので、通信効率や操作性が向上する。
【００２３】
上記ネットワークファクシミリ装置において、前記第２経路は、公衆回線網であり、前記第２送信部は、公衆回線網を介して前記ファクシミリデータをＧ３ファクシミリ通信にて送信し、前記判定部は、前記宛先のファクシミリ番号または前記ファクシミリデータのデータ量に基づいて、前記通信料金を算出し、判定することができる。
【００２４】
ここで、ファクシミリ番号は、市外か市内か、あるいは国際電話かなどを判断し、ファクシミリデータのデータ量は、たとえば、送信原稿枚数、原稿サイズ、精細モードなどの指定により判断することができる。これらの組み合わせによって通信料金を算出することができる。
【００２５】
なお、以上の構成要素の任意の組合せ、本発明の表現を方法、装置、システム、記録媒体、コンピュータプログラムなどの間で変換したものもまた、本発明の態様として有効である。
【発明の効果】
【００２６】
本発明によれば、ユーザの意志に反して通信料金が高額になってしまうのを防止可能なネットワークファクシミリ装置が提供される。
【発明を実施するための最良の形態】
【００２７】
以下、本発明の実施の形態について、図面を用いて説明する。尚、すべての図面において、同様な構成要素には同様の符号を付し、適宜説明を省略する。
【００２８】
（第一の実施の形態）
図１は、本実施形態のインターネットファクシミリ装置１００のハードウェア構成の一例を示すブロック図である。インターネットファクシミリ装置１００は、ＣＰＵ（Central Processing Unit）やＭＰＵ（Micro Processing Unit）などからなる制御部１０と、ＲＯＭ（Read Only Memory）１２と、ＲＡＭ（Random Access Memory）１４と、画像メモリ１６と、スキャナ１７と、プリンタ１８と、ネットワークインタフェース（図中、「ネットワークＩ／Ｆ」と示す）２０と、ＮＣＵ（Network Control Unit）２２と、モデム２４と、ＣＯＤＥＣ（Coder and Decoder：符号化復号器）２６と、操作部２８と、表示部３０と、これらを接続するバス３２と、を含む。
【００２９】
制御部１０は、当該インターネットファクシミリ装置１００の各要素にバス３２を介して接続され、各要素とともに、装置全体を制御する。ＮＣＵ２２は、公衆電話交換回線網（図中、「ＰＳＴＮ（Public Switched Telephone Networks）」と示す）３に接続される電話回線と当該インターネットファクシミリ装置１００との接続を制御するととともに、通信相手の電話番号のダイヤル信号を送出するとともに、着信を検出する。モデム２４は、ＮＣＵ２２を介して電話回線を通じて通信相手と送受信する音声信号とデジタルデータとの間の変復調を行う。
【００３０】
スキャナ１７は、たとえば、ＣＣＤイメージセンサなどを含み、原稿の画像を読み取り、画像メモリ１６に記憶する。ＣＯＤＥＣ２６は、画像メモリ１６に記憶された画像データを符号化したり、電話回線を通じて受信した画像データを復号して画像メモリ１６に記憶する。プリンタ１８は、受信した画像データを用紙に印字出力する。
【００３１】
操作部２８は、たとえば、キーボード、シートキー、ボタン、スイッチ、タッチパネル、マウスなどを含み、インターネットファクシミリ装置１００の操作指示や入力を行う。たとえば、ファックスやコピーの開始などを指示するスタートキー、電話番号やファクシミリ番号などを入力するためのテンキーなどを含む。表示部３０は、たとえば、操作部２８の操作により入力され受け付けた電話番号やファクシミリ番号、プリンタ１８のトナー残量などの各種情報、アドレス帳、操作指示画面などを表示する。なお、表示部３０は、たとえば、ＣＲＴ（Cathode Ray Tube）ディスプレイ、液晶表示装置（ＬＣＤ：Liquid Crystal Display）、ＬＥＤ（Light Emitting Diode）表示器などが用いられる。
【００３２】
ＲＯＭ１２は、このインターネットファクシミリ装置１００の全体の動作を制御するためのプログラムなどが記録される。ＲＡＭ１４は、制御部１０による制御に必要なデータおよび制御動作時に一時記憶が必要なデータなどを記憶する。なお、本実施形態において、インターネットファクシミリ装置１００の起動時には、ＲＯＭ１２に記憶されているプログラムは、一旦、ＲＡＭ１４にロードされてから、ＲＡＭ１４上で制御部１０により実行される。画像メモリ１６は、スキャナ１７が読み取った画像データを記憶したり、外部の電話回線からモデム２４を介して受信した画像データを記憶する。
【００３３】
本発明のインターネットファクシミリ装置１００は、たとえば、インターネットやＬＡＮなどのネットワーク１に接続されたインターネットファクシミリ装置やＭＦＰ（Multi Functional Peripheral）などである。なお、以下に示す各図において、本発明の本質に関わらない部分の構成については省略してある。
【００３４】
図２は、本発明の実施の形態に係るインターネットファクシミリ装置１００を示す機能ブロック図である。
【００３５】
本実施形態のインターネットファクシミリ装置１００は、指定された宛先にファクシミリデータを複数の経路で送信可能なネットワークファクシミリ装置であって、ファクシミリデータを複数の経路の中から指定された第１経路（ネットワーク１）で宛先に送信する第１送信部（ＳＭＴＰ送信部１０２またはＩＰ−ＦＡＸ送信部１０４）と、第１送信部において、送信に失敗した場合、その失敗の原因に応じて、複数の経路の中から第１経路とは異なる第２経路（ＰＳＴＮ３）での送信が可能かを判断する判断部（エラー検出部１３０および経路選択部１１４）と、判断部で送信可能と判断された第２経路で宛先にファクシミリデータを送信する第２送信部（Ｇ３ＦＡＸ送信部１０６）と、を備える。
【００３６】
なお、インターネットファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００３７】
図２に示すように、インターネットファクシミリ装置１００は、ＳＭＴＰ送信部１０２と、ＩＰ−ＦＡＸ送信部１０４と、Ｇ３ＦＡＸ送信部１０６と、送信指示受付部１０８と、読取部１１０と、画像データ記憶部（図中、「画像データ」と示す）１１２と、経路選択部１１４と、選択条件記憶部（図中、「選択条件」と示す）１１６と、宛先受付部１１８と、アドレス帳記憶部（図中、「アドレス帳」と示す）１２０と、アドレス取得部１２２と、変換部１２４と、送信データ記憶部（図中、「送信データ」と示す）１２６と、送信制御部１２８と、エラー検出部１３０と、を備えている。
【００３８】
ＳＭＴＰ送信部１０２は、メールアドレス指定された宛先に対応するＩＰアドレスをアドレス取得部１２２がＤＮＳ（Domain Name System）にて取得し、ファクシミリデータをインターネットなどのネットワーク１経由でＳＭＴＰ（Simple Mail Transfer Protocol）などのプロトコルを使用して送信する。ここで、ファクシミリデータとは、スキャナなどで読み取られ送信用の画像データに変換されたものや、記憶装置に記憶されている画像データであり、画像データは電子メールに添付されたり、符号化圧縮変換されたりした後、送信される。ＳＭＴＰ送信部１０２は、図１の制御部１０およびネットワークインタフェース２０に対応する。
【００３９】
ＩＰ−ＦＡＸ送信部１０４は、ＩＰ電話番号指定された宛先にＳＩＰ（Session Initiation Protocol）などの所定のプロトコルを使用してファクシミリデータをネットワーク１経由で送信する。ＩＰ−ＦＡＸ送信部１０４は、図１の制御部１０およびネットワークインタフェース２０に対応する。Ｇ３ＦＡＸ送信部１０６は、Ｇ３ファクシミリ番号指定された宛先にファクシミリデータをＰＳＴＮ３経由でＧ３ファクシミリ送信する、Ｇ３ＦＡＸ送信部１０６は、図１の制御部１０、ＮＣＵ２２およびモデム２４に対応する。
【００４０】
送信指示受付部１０８は、インターネットファクシミリ装置１００の操作パネル上に設けられたファクシミリ送信スタートボタンなどの押下によるスタート指示を操作部２８から受け付ける。読取部１１０は、送信指示受付部１０８がスタート指示を受け付けたとき、図１のスキャナ１７により原稿を読み取り画像データを生成し、画像データ記憶部１１２に記憶する。画像データ記憶部１１２は、図１の画像メモリ１６に相当する。
【００４１】
経路選択部１１４は、複数の経路の中から何れの経路でファクシミリデータを送信するかを選択する。経路選択部１１４は、選択条件記憶部１１６にアクセスし、選択条件に従って送信する経路の選択を行うことができる。複数の経路とは、たとえば、メールアドレス指定された宛先に対応するＩＰアドレスをＤＮＳにて取得し、ファクシミリデータをインターネットなどのネットワーク経由でＳＭＴＰ送信する経路や、ＩＰ電話番号指定された宛先にＳＩＰ（Session Initiation Protocol）などの所定のプロトコルを使用してファクシミリデータをネットワーク経由でＩＰ−ＦＡＸ送信する経路や、ファクシミリ番号指定された宛先にファクシミリデータを公衆回線網経由でＧ３ＦＡＸ送信する経路などが含まれる。
【００４２】
宛先受付部１１８は、ファクシミリデータを送信する宛先の選択を受け付ける。ユーザは、たとえば、操作パネルの液晶表示器上に表示されたアドレス帳の中から宛先を選択することができる。
【００４３】
アドレス帳記憶部１２０は、図３に示すように、宛名１４０毎に、メールアドレス（図中、「Ｉ−ＦＡＸ」と示す）１４２と、ＩＰ−ＦＡＸ番号（図中、「ＩＰ−ＦＡＸ」と示す）１４４と、Ｇ３ＦＡＸ番号（図中、「Ｇ３ＦＡＸ」と示す）１４６と、を記憶する。
【００４４】
図２に戻り、アドレス取得部１２２は、宛先受付部１１８が受け付けた宛先毎に、選択された経路に対応するアドレスを取得する。たとえば、ＳＭＴＰ送信経路が選択されている場合、アドレス取得部１２２は、アドレス帳記憶部１２０にアクセスし、宛先のメールアドレス１４２を取得し、さらに、図１のネットワークインタフェース２０を介してネットワーク１経由でＤＮＳサーバやＤＤＮＳサーバに対応するＩＰアドレスを問合せ、取得する。また、ＩＰ−ＦＡＸ送信経路が選択されている場合、アドレス取得部１２２は、アドレス帳記憶部１２０にアクセスし、宛先のＩＰ−ＦＡＸ番号１４４を取得する。Ｇ３ＦＡＸ送信経路が選択されている場合、アドレス取得部１２２は、アドレス帳記憶部１２０にアクセスし、宛先のＧ３ＦＡＸ番号１４６を取得する。
【００４５】
変換部１２４は、画像データ記憶部１１２に記憶された画像データを、選択された経路に適した送信データに変換する。たとえば、ＳＭＴＰ送信経路が選択された場合は、画像データ記憶部１１２に記憶された画像データを、たとえば、図１のＣＯＤＥＣ２６により符号化し、添付したメールを作成し、送信データ記憶部１２６に格納する。
【００４６】
送信制御部１２８は、経路選択部１１４が選択した経路で送信データ記憶部１２６に記憶された送信データを対応するＳＭＴＰ送信部１０２、ＩＰ−ＦＡＸ送信部１０４、Ｇ３ＦＡＸ送信部１０６の何れかに送信させる。
【００４７】
エラー検出部１３０は、ＳＭＴＰ送信部１０２、ＩＰ−ＦＡＸ送信部１０４およびＧ３ＦＡＸ送信部１０６における送信が正常に終了したか否か、また、エラー原因などを検出する。送信の失敗の原因とは、たとえば、ネットワーク１への接続ができなかった場合や、ＤＮＳサーバやＤＤＮＳサーバから応答がなかった場合、ＤＮＳサーバやＤＤＮＳサーバから応答されたＩＰアドレスで送信したとき、宛先がなかったなどで送信エラーとなった場合などが含まれる。たとえば、ネットワーク１への接続ができないことが原因の場合、経路選択部１１４は、ＰＳＴＮ３経由でのＧ３ファクシミリ送信する経路を選択するが、ＤＮＳサーバから応答されたＩＰアドレスでの送信エラーなどが原因の場合、経路選択部１１４はネットワーク１経由でのＳＩＰなどの他の通信プロトコルによる送信経路を選択する。
【００４８】
図４は、本実施形態の選択条件記憶部１１６の構造の一例を示す図である。選択条件記憶部１１６は、複数の経路１５２の優先順位１５０を記憶している。図２の経路選択部１１４は、選択条件記憶部１１６にアクセスし、順位１５０に従って経路１５２を選択することができる。他の実施形態において、この選択条件は、宛先毎に設定することもできる。この構成によれば、宛先毎に何を優先して順位を設定することができるので、設定の自由度が増し、利便性が向上する。
【００４９】
このように構成された本実施形態のインターネットファクシミリ装置１００の動作について、以下に説明する。図５乃至図７は、本実施形態のインターネットファクシミリ装置１００の動作の一例を示すフローチャートである。以下、図１乃至図７を用いて説明する。
【００５０】
ここでは、ユーザが操作パネル上でインターネットファクシミリ送信（以下、「ＳＭＴＰ送信」と呼ぶ）のスタートボタンを押下し、送信指示受付部１０８がスタート指示を受け付け、読取部１１０により原稿が読み取られ、画像データ記憶部１１２に画像データが格納された後の動作について、説明する。送信指示受付部１０８が受け付けた指示に従い、経路選択部１１４は、ＳＭＴＰ送信経路をはじめに選択し、アドレス取得部１２２、送信制御部１２８および変換部１２４に通知する。変換部１２４は、指示されたＳＭＴＰ送信経路用に、送信メールを作成し、送信データ記憶部１２６に格納する。なお、原稿の読み取りおよび画像データの作成は、ファクシミリデータを送信する前までに行えばいつでもよい。
【００５１】
まず、ユーザが操作部２８を用いて指定した宛先を宛先受付部１１８が受け付ける（Ｓ１１）。経路選択部１１４からＳＭＴＰ送信経路の選択が通知されているので、アドレス取得部１２２はアドレス帳記憶部１２０にアクセスし、ステップＳ１１で受け付けた宛先に対応するメールアドレスがあるか否かを調べ（Ｓ１３）、メールアドレスがあった場合（Ｓ１３のＹＥＳ）、対応するメールアドレスを取得し（Ｓ１５）、送信制御部１２８に送信指示を行う。送信制御部１２８は、ＳＭＴＰ送信部１０２にファクシミリデータの送信指示を行い、ＳＭＴＰ送信部１０２は、まず、ネットワーク１に接続を試みる（Ｓ１７）。ネットワーク１への接続が確立されている場合（Ｓ１７のＹＥＳ）、アドレス取得部１２２は、図１のネットワークインタフェース２０を介してネットワーク１上のＤＮＳサーバに対してＩＰアドレスを問い合わせる（Ｓ１９）。ＩＰアドレスが取得できた場合（Ｓ１９のＹＥＳ）、送信制御部１２８は、ＳＭＴＰ送信部１０２に送信データ記憶部１２６に格納された送信データをネットワーク１を介して宛先に送信させる（Ｓ２１）。エラー検出部１３０は、ステップＳ２１における送信が正常に終了したか否かを検出する（Ｓ２３）。正常に終了した場合（Ｓ２３のＹＥＳ）、本処理を終了する。
【００５２】
ステップＳ１３で、ＳＭＴＰ送信用のメールアドレスがなかった場合（Ｓ１３のＮＯ）、またはステップＳ１９でＤＮＳサーバからＩＰアドレスの取得ができなかった場合（Ｓ１９のＮＯ）、またはステップＳ２３の判定でファクシミリ送信データの送信が正常に終了しなかったと判定された場合（Ｓ２３のＮＯ）、図６のステップＳ３１に進む。
【００５３】
ステップＳ３１では、アドレス取得部１２２がアドレス帳記憶部１２０にアクセスし、図５のステップＳ１１で受け付けた宛先に対応するＩＰ−ＦＡＸ番号があるか否かを判定する（Ｓ３１）。なお、本実施形態において、図４に示す選択条件記憶部１１６により、経路の優先順位が指定されているので、上述のＳＭＴＰ送信経路の次に、ＩＰ−ＦＡＸ送信が選択される。図６に戻り、ＩＰ−ＦＡＸ番号があった場合（Ｓ３１のＹＥＳ）、対応するＩＰ−ＦＡＸ番号を取得し（Ｓ３３）、送信制御部１２８に送信指示を行う。送信制御部１２８は、ＩＰ−ＦＡＸ送信部１０４にファクシミリデータの送信指示を行い、ＩＰ−ＦＡＸ送信部１０４は、まず、ネットワーク１に接続を試みる（Ｓ３５）。ネットワーク１への接続が確立されている場合（Ｓ３５のＹＥＳ）、ＩＰ−ＦＡＸ送信部１０４は送信データ記憶部１２６に格納された送信データをネットワーク１を介してステップＳ３３で取得したＩＰ−ＦＡＸ番号に送信する（Ｓ３７）。
【００５４】
エラー検出部１３０は、ステップＳ３７における送信が正常に終了したか否かを検出する（Ｓ３９）。正常に終了した場合（Ｓ３９のＹＥＳ）、本処理を終了する。
【００５５】
図５のステップＳ１７で、ネットワーク１への接続が確立できなかった場合（Ｓ１７のＮＯ）、または図６のステップＳ３１で、宛先に対応するＩＰ−ＦＡＸ番号がなかった場合（Ｓ３１のＮＯ）、またはステップＳ３５で、ネットワーク１への接続が確立できなかった場合（Ｓ３５のＮＯ）、またはステップＳ３９の判定でファクシミリ送信データの送信が正常に終了しなかったと判定された場合（Ｓ３９のＮＯ）、図７のステップＳ４１に進む。
【００５６】
ステップＳ４１では、アドレス取得部１２２がアドレス帳記憶部１２０にアクセスし、図５のステップＳ１１で受け付けた宛先に対応するＧ３ＦＡＸ番号があるか否かを判定する（Ｓ４１）。ここでも、図４に示す選択条件記憶部１１６により、経路の優先順位が指定されているので、上述のＩＰ−ＦＡＸ送信経路の次に、Ｇ３ＦＡＸ送信が選択される。Ｇ３ＦＡＸ番号があった場合（Ｓ４１のＹＥＳ）、対応するＧ３ＦＡＸ番号を取得し（Ｓ４３）、送信制御部１２８に送信指示を行う。送信制御部１２８は、Ｇ３ＦＡＸ送信部１０６にファクシミリデータの送信指示を行い、Ｇ３ＦＡＸ送信部１０６は、送信データ記憶部１２６に格納された送信データをＰＳＴＮ３を介してステップＳ４３で取得したＧ３ＦＡＸ番号に送信する（Ｓ４５）。
【００５７】
エラー検出部１３０は、ステップＳ４５における送信が正常に終了したか否かを検出する（Ｓ４７）。正常に終了した場合（Ｓ４７のＹＥＳ）、本処理を終了する。
【００５８】
ステップＳ４１で、宛先に対応するＧ３ＦＡＸ番号がなかった場合（Ｓ４１のＮＯ）、表示部３０に原稿の送信ができなかったことを通知するメッセージなどを表示し（Ｓ５１）、本処理を終了する。また、ステップＳ４７でＧ３ＦＡＸ送信が正常に終了しなかったと判定された場合（Ｓ４７のＮＯ）、表示部３０にＧ３ＦＡＸ送信エラーを通知するメッセージなどを表示し（Ｓ４９）、本処理を終了する。
【００５９】
以上説明したように、本実施形態のインターネットファクシミリ装置１００によれば、ある経路で送信に失敗したとき、その原因に応じて原稿を再送する経路を選択することができるので、適切な再送経路の選択が可能となり、通信効率が向上する。また、予め決められた優先順位に従って、送信可能な経路を選択することができる。たとえば、通信コストや通信効率などに応じて優先順位を指定することができる。
【００６０】
（第二の実施の形態）
図８は、本発明の実施の形態に係るネットワークファクシミリ装置の構成を示す機能ブロック図である。図８に示すネットワークファクシミリ装置は、上記実施形態のネットワークファクシミリ装置とは、ファクシミリデータの送信経路の切り替え時にユーザに問い合わせを行う点で相違している。
【００６１】
本実施形態のネットワークファクシミリ装置は、指定された宛先にファクシミリデータを複数の経路で送信可能なネットワークファクシミリ装置（インターネットファクシミリ装置２００）であって、ファクシミリデータを複数の経路の中から指定された第１経路で宛先に送信する第１送信部（ＳＭＴＰ送信部１０２およびＩＰ−ＦＡＸ送信部１０４）と、第１送信部において、送信に失敗した場合、所定の問い合わせ条件に従って、第１経路より通信料金単価が高い第２経路で送信を行うか否かを判断して、ユーザに問い合わせる問合せ部（判定部２０４および問合せ部２０６）と、ユーザからの第２経路での送信指示を受け付けたとき、ファクシミリデータを第２経路で送信する第２送信部（Ｇ３ＦＡＸ送信部１０６）と、を備える。
【００６２】
具体的には、インターネットファクシミリ装置２００は、図２のインターネットファクシミリ装置１００と同様の構成に加え、問合せ条件記憶部（図中、「問合せ条件」と示す）２０２と、判定部２０４と、問合せ部２０６と、Ｇ３ＦＡＸ指示受付部２０８と、をさらに備えている。
【００６３】
問合せ条件記憶部２０２は、エラー検出部１３０が、ある経路での送信エラーを検出した場合、他の経路での送信が可能か否かを判断するための所定の条件を記憶する。所定の条件とは、たとえば、通信料金が所定金額以上の場合に問い合わせを行い、所定金額未満の場合は問い合わせを行わないといった通信料金に応じた設定、あるいは、問い合わせは常に不要あるいは必要であるかなどの設定などが宛先毎に設定される。本実施形態では、どの宛先も必ず経路変更前に問い合わせを行う設定となっているものとする。
【００６４】
判定部２０４は、問合せ条件記憶部２０２に記憶された所定の条件に従って、エラー検出部１３０がある経路での送信エラーを検出した場合、他の経路での送信が可能か否かを判断する。問合せ部２０６は、判定部２０４での判断に従って、問い合わせが必要な場合はユーザに問い合わせを行うメッセージなどの表示を表示部３０に行う。また、図示されないスピーカなどから音声または警告音などを出力することもできる。
【００６５】
図９に本実施形態における問合せ画面３００の一例を示す。問合せ画面３００は、通信料金表示部３０２と、ＯＫボタン３０４と、キャンセルボタン３０６と、を含む。通信料金表示部３０２は、たとえば、宛先のファクシミリ番号およびファクシミリデータのデータ量、たとえば、送信原稿枚数、原稿サイズ、精細モードなどの指定に基づいて、算出された通信料金が表示される。ＯＫボタン３０４をユーザが選択すると、Ｇ３ＦＡＸ指示受付部２０８がＧ３ＦＡＸ送信指示として受け付ける。キャンセルボタン３０６をユーザが選択すると、送信を中止する。
【００６６】
Ｇ３ＦＡＸ指示受付部２０８は、ユーザからのＧ３ＦＡＸ送信指示を受け付け、経路選択部１１４に通知する。
【００６７】
このように構成された本実施形態のインターネットファクシミリ装置２００の動作について、以下に説明する。図１０は、本実施形態のインターネットファクシミリ装置２００のＧ３ＦＡＸ送信時の動作の一例を示すフローチャートである。以下、図５乃至図１０を用いて説明する。
【００６８】
ＳＭＴＰ送信およびＩＰ−ＦＡＸ送信時の動作は、上記実施形態のインターネットファクシミリ装置１００と同様の動作を行うものとし、図５乃至図７のフローチャートに従って同様に動作するものとする。本実施形態では、図７のステップＳ４５の処理が、図１０の処理となり、上記実施形態とは、Ｇ３ＦＡＸ送信時にユーザに問い合わせを行う点で相違している。
【００６９】
ＳＭＴＰ送信またはＩＰ−ＦＡＸ送信での送信に失敗した場合、図７のフローチャートに従った処理が実施され、ステップＳ４５でＧ３ＦＡＸ送信処理が開始すると、図１０のフローチャートに従った処理が開始する。
【００７０】
まず、判定部２０４がエラー検出部１３０から送信エラー検出の通知を受け付け、問合せ条件記憶部２０２にアクセスし、問い合わせ条件に従って、問い合わせを行うか否かを判断する。ここでは、必ず問い合わせを行う設定となっているので、問合せ部２０６は、ユーザに問い合わせを行う。具体的には、表示部３０に図９の問合せ画面３００を表示する（Ｓ７１）。そして、ユーザが問合せ画面３００上のＯＫボタン３０４を押下すると、Ｇ３ＦＡＸ指示受付部２０８が送信指示を受け付け（Ｓ７３のＹＥＳ）、経路選択部１１４にＧ３ＦＡＸ送信指示を通知する。経路選択部１１４から送信制御部１２８にＧ３ＦＡＸ送信指示を通知し、Ｇ３ＦＡＸ送信部１０６は、送信データ記憶部１２６に格納された送信データをＰＳＴＮ３を介して図７のステップＳ４３で取得したＧ３ＦＡＸ番号に送信を開始し（Ｓ７５）、図７のステップＳ４７に戻る。
【００７１】
一方、ステップＳ７１で表示された問合せ画面３００上のキャンセルボタン３０６をユーザが押下すると、Ｇ３ＦＡＸ指示受付部２０８が送信中止指示を受け付け（Ｓ７３のＮＯ）、経路選択部１１４を介して送信制御部１２８の送信中止指示を通知する（Ｓ７７）。ここで、表示部３０にユーザに通信が中止されたことを示すメッセージを表示してもよい。ファクシミリの送信が中止され、図７のステップＳ４７に戻る。
【００７２】
以上説明したように、本実施形態のインターネットファクシミリ装置２００によれば、インターネットを含むネットワーク１などの第１経路経由での通信に失敗した場合、通信料金単価が高いＰＳＴＮ３などの第２経路に自動的に切り換えずに、所定の条件に従って、問い合わせてから切り換えるので、通信料金などを加味したユーザの判断により切り換えを行うことができるので利便性がよい。また、条件によっては、問い合わせをせずに自動的に第２経路でファクシミリ送信を行うので、いちいち問合せに答える必要がなくなるので、通信効率や操作性が向上する。
【００７３】
（第三の実施の形態）
図１１に本実施形態のインターネットファクシミリ装置２００の問合せ条件記憶部２０２の構造の一例を示す。本実施形態のインターネットファクシミリ装置２００は、上記実施形態とは、通信料金に応じて問合せを行う点で相違する。
【００７４】
図１１に示すように、問合せ条件記憶部２０２には、宛先２２０および制限通信料金（図中、「料金」と示す）２２２が対応付けて記憶されている。これにより、たとえば、宛先Ａは料金によらず常に問い合わせ不要であり、宛先Ｂは、通信料金が８００円以上の場合に問い合わせ、宛先Ｃは、通信料金が１２００円以上の場合に問い合わせ、宛先Ｄは、通信料金に関わらず必ず問合せることになる。
【００７５】
なお、本実施形態では、通信料金を算出して問い合わせをするか否かを判定する構成としたが、単に、問合せ条件記憶部２０２は、宛先２２０毎に、問い合わせの要不要のみの設定を記憶してもよいし、あるいは、たとえば、宛先毎にファクシミリ番号が市内局番以外は問合せを行ったり、国際電話の場合にのみ問合せを行ったり、といった設定を記憶してもよい。あるいは、送信原稿枚数が所定枚数以上か否かなどによる判定であってもよい。これらを組み合わせて問合せ条件とすることもできる。
【００７６】
このように構成された本実施形態のインターネットファクシミリ装置２００の動作について、以下に説明する。図１２は、本実施形態のインターネットファクシミリ装置２００のＧ３ＦＡＸ送信時の動作の一例を示すフローチャートである。以下、図５乃至図８、図１１、図１２を用いて説明する。
【００７７】
ＳＭＴＰ送信およびＩＰ−ＦＡＸ送信時の動作は、上記実施形態のインターネットファクシミリ装置１００と同様の動作を行うものとし、図５乃至図７のフローチャートに従って同様に動作するものとする。本実施形態では、図７のステップＳ４５の処理が、図１２の処理となり、上記実施形態とは、Ｇ３ＦＡＸ送信時に、宛先毎に通信料金に応じて問合せを行う点で相違している。
【００７８】
ＳＭＴＰ送信またはＩＰ−ＦＡＸ送信での送信に失敗した場合、図７のフローチャートに従った処理が実施され、ステップＳ４５でＧ３ＦＡＸ送信処理が開始すると、図１２のフローチャートに従った処理が開始する。
【００７９】
まず、判定部２０４がエラー検出部１３０から送信エラー検出の通知を受付、問合せ条件記憶部２０２にアクセスし、問合せ条件に従って、問い合わせを行うか否かを判断する。ここでは、図１１の問合せ条件記憶部２０２に設定されている条件に従って、図５のステップＳ１１で受け付けた宛先の制限通信料金２２２を取得する（Ｓ１０１）。たとえば、図１１に示す問合せ条件記憶部２０２によれば、宛先Ａの場合は、通信料金の制限がないので（Ｓ１０１のＮＯ）、経路選択部１１４にＧ３ＦＡＸ送信指示を行い、ステップＳ１０９に進む。一方、宛先Ｂの場合は、通信料金は８００円に制限されている（Ｓ１０１のＹＥＳ）。
【００８０】
そして、宛先のファクシミリ番号およびファクシミリデータのデータ量などに基づいて通信料金が算出され、所定の通信料金の制限値８００円以下か否かを判定部２０４が判定する（Ｓ１０３）。算出された通信料金が所定の制限値以下の場合（Ｓ１０３のＹＥＳ）、経路選択部１１４にＧ３ＦＡＸ送信指示を行い、ステップＳ１０９に進む。
【００８１】
一方、算出された通信料金が所定の制限値より大きい場合（Ｓ１０３のＮＯ）、問合せ部２０６が、ユーザに問い合わせを行う。具体的には、表示部３０に図９の問合せ画面３００を表示する（Ｓ１０５）。そして、ユーザが問合せ画面３００上のＯＫボタン３０４を押下すると、Ｇ３ＦＡＸ指示受付部２０８が送信指示を受け付け（Ｓ１０７のＹＥＳ）、経路選択部１１４にＧ３ＦＡＸ送信指示を通知し、ステップＳ１０９に進む。一方、ユーザが問合せ画面３００上のキャンセルボタン３０６を押下した場合は、Ｇ３ＦＡＸ指示受付部２０８が送信中止指示を受け付け（Ｓ１０７のＮＯ）、経路選択部１１４を介して送信制御部１２８の送信中止指示を通知する（Ｓ１１１）。ここで、表示部３０にユーザに通信が中止されたことを示すメッセージを表示してもよい。ファクシミリの送信が中止され、図７のステップＳ４７に戻る。
【００８２】
ステップＳ１０９では、経路選択部１１４から送信制御部１２８にＧ３ＦＡＸ送信指示を通知し、Ｇ３ＦＡＸ送信部１０６は、送信データ記憶部１２６に格納された送信データをＰＳＴＮ３を介して図７のステップＳ４３で取得したＧ３ＦＡＸ番号に送信を開始し（Ｓ１０９）、図７のステップＳ４７に戻る。
【００８３】
以上説明したように、本実施形態のインターネットファクシミリ装置２００によれば、インターネットを含むネットワーク１などの第１経路経由での通信に失敗した場合、通信料金単価が高いＰＳＴＮ３などの第２経路に自動的に切り換えずに、所定の条件に従って、問い合わせてから切り換えるので、通信料金などを加味したユーザの判断により切り換えを行うことができるので利便性がよい。また、条件によっては、問い合わせをせずに自動的にＰＳＴＮ３でファクシミリ送信を行うので、いちいち問合せに答える必要がなくなるので、通信効率や操作性が向上する。
【００８４】
（第四の実施の形態）
本実施形態のネットワークファクシミリ装置は、上記実施の形態とは、ネットワーク経由でのファクシミリ通信時のエラー処理において、所定回数または所定時間までリトライを繰り返してから他の経路への切り替えを行う点で相違する。なお、本実施形態のインターネットファクシミリ装置の構成は、図２または図８に示した上記実施形態のインターネットファクシミリ装置と同様の構成を備えている。
【００８５】
ここで、リトライする所定回数は、所定時間であってもよい。すなわち、たとえば、ＤＤＮＳにおけるＩＰアドレスの割付の更新時などに丁度問合せを行うと、エラーが発生する場合があるが、このようなエラーは、時間が経過することにより解消される可能性がある。したがって、エラー解消に要すると考えられる時間にわたってリトライする。
【００８６】
本実施形態のインターネットファクシミリ装置は、送信に失敗したときの原因が、ＳＭＴＰ送信する経路での送信エラーの場合、所定回数まで前記第１送信部（ＳＭＴＰ送信部１０２またはＩＰ−ＦＡＸ送信部１０４）に送信をリトライさせるリトライ部（送信制御部１２８）をさらに含む。
【００８７】
このように構成された本実施形態のインターネットファクシミリ装置の動作について、以下に説明する。図１３は、本発明の実施の形態に係るネットワークファクシミリ装置の動作の一例を示すフローチャートである。なお、図１３において、本発明に直接関わらない処理については、省略してある。
【００８８】
まず、ユーザが操作パネル上でＳＭＴＰ送信のスタートボタンを押下し、送信指示受付部１０８がスタート指示を受け付け、読取部１１０により原稿が読み取られ、画像データ記憶部１１２に画像データが格納された後の動作について、説明する。送信指示受付部１０８が受け付けた指示に従い、経路選択部１１４は、ＳＭＴＰ送信経路をはじめに選択し、アドレス取得部１２２、送信制御部１２８および変換部１２４に通知する。変換部１２４は、指示されたＳＭＴＰ送信経路用に、送信メールを作成し、送信データ記憶部１２６に格納する。なお、原稿の読み取りおよび画像データの作成は、ファクシミリデータを送信する前までに行えばいつでもよい。
【００８９】
そして、ユーザが操作部２８を用いて指定した宛先を宛先受付部１１８が受け付ける（Ｓ１２１）。つづいて、送信制御部１２８がＳＭＴＰ送信部１０２にファクシミリデータの送信指示を行い、ＳＭＴＰ送信部１０２は、まず、ネットワーク１に接続を試みる（Ｓ１２３）。ネットワーク１への接続が確立されている場合（Ｓ１２３のＹＥＳ）、アドレス取得部１２２はアドレス帳記憶部１２０にアクセスし、ステップＳ１２１で受け付けた宛先に対応するメールアドレスを取得し、ネットワークインタフェース２０を介してネットワーク１上のＤＮＳサーバまたはＤＤＮＳサーバに対してＩＰアドレスを問い合わせる（Ｓ１２５）。
【００９０】
ＩＰアドレスが取得できた場合（Ｓ１２７のＹＥＳ）、送信制御部１２８は、ＳＭＴＰ送信部１０２に送信データ記憶部１２６に格納された送信データをネットワーク１を介して宛先に送信させる（Ｓ１２９）。エラー検出部１３０は、ステップＳ１２９における送信が正常に終了したか否かを検出する（Ｓ１３１）。正常に終了した場合（Ｓ１３１のＹＥＳ）、本処理を終了する。
【００９１】
ステップＳ１２７で、ＤＮＳサーバからＩＰアドレスの取得ができなかった場合（Ｓ１２７のＮＯ）、ステップＳ１２５の処理を繰り返し行い、リトライ回数が所定回数以上になるまで繰り返す（Ｓ１３３）。所定回数以上リトライを行った後（Ｓ１３３のＹＥＳ）、ステップＳ１３７に進む。
【００９２】
また、ステップＳ１２９で、ファクシミリの送信が正常に終了しなかった場合（Ｓ１３１のＮＯ）、ステップＳ１２９の処理を繰り返し行い、リトライ回数が所定回数以上になるまで繰り返す（Ｓ１３５）。所定回数以上リトライを行った後（Ｓ１３５のＹＥＳ）、ステップＳ１３７に進む。
【００９３】
ステップＳ１３７では、アドレス取得部１２２がアドレス帳記憶部１２０にアクセスし、ステップＳ１２１で受け付けた宛先に対応するＩＰ−ＦＡＸ番号を取得し、送信制御部１２８がＩＰ−ＦＡＸ送信部１０４に指示して、送信データ記憶部１２６に格納された送信データをネットワーク１を介して取得したＩＰ−ＦＡＸ番号に送信する（Ｓ１３７）。
【００９４】
また、エラー検出部１３０は、ステップＳ１３７におけるＩＰ−ＦＡＸ送信が正常に終了した否かを検出し（Ｓ１３９）、正常に終了した場合は本処理を終了する。ＩＰ−ＦＡＸ送信が正常に終了しなかった場合（Ｓ１３９のＮＯ）、ステップＳ１４１に進む。
【００９５】
また、ステップＳ１２３で、ネットワーク１への接続が確立されなかった場合（Ｓ１２３のＮＯ）、ステップＳ１４１に進む。ステップＳ１４１では、アドレス取得部１２２がアドレス帳記憶部１２０にアクセスし、ステップＳ１２１で受け付けた宛先に対応するＧ３ＦＡＸ番号を取得する。そして、送信制御部１２８がＧ３ＦＡＸ送信部１０６にファクシミリ送信指示を行い、Ｇ３ＦＡＸ送信部１０６は、送信データ記憶部１２６に格納された送信データをＰＳＴＮ３を介して取得したＧ３ＦＡＸ番号に送信する（Ｓ１４１）。
【００９６】
このように、たとえば、ＳＭＴＰ送信時にネットワーク１への接続か確立できなかった場合は（Ｓ１２３のＮＯ）、直ぐにＧ３ＦＡＸ送信（Ｓ１４１）に切り換えて送信を行う。また、ＤＮＳサーバへのＩＰアドレスの取得時にエラーが発生した場合（Ｓ１２７のＮＯ）は、所定回数までリトライを行い（Ｓ１３３）、エラーが回復できたら（Ｓ１２７のＹＥＳ）ＳＭＴＰ送信を行う（Ｓ１２９）ことができる。また、ＳＭＴＰ送信に失敗した場合など（Ｓ１３１のＮＯかつＳ１３５のＹＥＳ）、ネットワーク１経由の別の通信プロトコルであるＳＩＰを使用したＩＰ−ＦＡＸ送信（Ｓ１３７）に切り換えることができる。
【００９７】
以上説明したように、本実施形態のインターネットファクシミリ装置によれば、たとえば、ＤＤＮＳサーバへのＩＰアドレスの問い合わせ時の送信エラーなどが原因の場合に、リトライによりエラーが解消される可能性があるので、Ｇ３ファクシミリ送信などの通信料金が高額になる可能性のある経路への切り替えをなるべく回避することが可能となる。
【００９８】
以上、図面を参照して本発明の実施形態について述べたが、これらは本発明の例示であり、上記以外の様々な構成を採用することもできる。
【図面の簡単な説明】
【００９９】
【図１】本発明の実施の形態に係るインターネットファクシミリ装置のハードウェア構成の一例を示すブロック図である。
【図２】本発明の実施の形態に係るインターネットファクシミリ装置を示す機能ブロック図である。
【図３】図２のインターネットファクシミリ装置のアドレス帳記憶部の構造の一例を示す図である。
【図４】図２のインターネットファクシミリ装置の選択条件記憶部の構造の一例を示す図である。
【図５】図２のインターネットファクシミリ装置の動作の一例を示すフローチャートである。
【図６】図５の続きの動作の一例を示すフローチャートである。
【図７】図６の続きの動作の一例を示すフローチャートである。
【図８】本発明の他の実施の形態に係るネットワークファクシミリ装置の構成を示す機能ブロック図である。
【図９】図８のインターネットファクシミリ装置の問合せ画面の一例を示す図である。
【図１０】図８のインターネットファクシミリ装置のＧ３ＦＡＸ送信時の動作の一例を示すフローチャートである。
【図１１】図８のインターネットファクシミリ装置の問合せ条件記憶部の構造の一例を示す図である。
【図１２】本発明の実施の形態に係るインターネットファクシミリ装置のＧ３ＦＡＸ送信時の動作の他の一例を示すフローチャートである。
【図１３】本発明の他の実施の形態に係るネットワークファクシミリ装置の動作の一例を示すフローチャートである。
【符号の説明】
【０１００】
１  ネットワーク
３  ＰＳＴＮ
１０  制御部
１２  ＲＯＭ
１４  ＲＡＭ
１６  画像メモリ
１７  スキャナ
１８  プリンタ
２０  ネットワークインタフェース
２２  ＮＣＵ
２４  モデム
２６  ＣＯＤＥＣ
２８  操作部
３０  表示部
３２  バス
１００  インターネットファクシミリ装置
１０２  ＳＭＴＰ送信部
１０４  ＩＰ−ＦＡＸ送信部
１０６  Ｇ３ＦＡＸ送信部
１０８  送信指示受付部
１１０  読取部
１１２  画像データ記憶部
１１４  経路選択部
１１６  選択条件記憶部
１１８  宛先受付部
１２０  アドレス帳記憶部
１２２  アドレス取得部
１２４  変換部
１２６  送信データ記憶部
１２８  送信制御部
１３０  エラー検出部
１４０  宛名
１４２  メールアドレス
１４４  ＩＰ−ＦＡＸ番号
１４６  Ｇ３ＦＡＸ番号
１５０  順位
１５２  経路
２００  インターネットファクシミリ装置
２０２  問合せ条件記憶部
２０４  判定部
２０６  問合せ部
２０８  Ｇ３ＦＡＸ指示受付部
２２０  宛先
２２２  制限通信料金
３００  問合せ画面
３０２  通信料金表示部
３０４  ＯＫボタン
３０６  キャンセルボタン
【図１】
2007060034.tif 000003
【図２】
2007060034.tif 000004
【図３】
2007060034.tif 000005
【図４】
2007060034.tif 000006
【図５】
2007060034.tif 000007
【図６】
2007060034.tif 000008
【図７】
2007060034.tif 000009
【図８】
2007060034.tif 000010
【図９】
2007060034.tif 000011
【図１０】
2007060034.tif 000012
【図１１】
2007060034.tif 000013
【図１２】
2007060034.tif 000014
【図１３】
2007060034.tif 000015